(57)【特許請求の範囲】
【請求項１】
受信帯域幅を設定する帯域幅設定信号を出力する設定手段と、通過帯域幅を前記帯域幅設定信号に基づいて調節可能なフィルタと、該フィルタの通過帯域内において中心周波数を制御可能なノッチフィルタとを備えた受信装置において、
前記ノッチフィルタは、その減衰幅を制御可能なノッチフィルタとするとともに、
前記ノッチフィルタの減衰幅を、前記フィルタの通過帯域幅に連動させて自動的に制御する減衰幅制御手段を備えたことを特徴とする受信装置。
【請求項２】
受信帯域幅を指定する帯域幅指定信号を出力する設定手段と、通過帯域幅を前記帯域幅指定信号に基づいて調節可能なフィルタと、該フィルタの通過帯域内において中心周波数を制御可能なノッチフィルタとを備えた受信装置において、
前記ノッチフィルタは、その中心周波数の変更幅を制御可能なノッチフィルタとするとともに、
前記ノッチフィルタの中心周波数の変更幅を、前記フィルタの通過帯域幅に連動させて自動的に制御する変更幅制御手段を備えたことを特徴とする受信装置。
【請求項３】
受信帯域幅を指定する帯域幅指定信号を出力する設定手段と、通過帯域幅を前記帯域幅指定信号に基づいて調節可能なフィルタと、該フィルタの通過帯域内において中心周波数を制御可能なノッチフィルタとを備えた受信装置において、
前記ノッチフィルタは、その減衰幅と、その中心周波数の変更幅とを制御可能なノッチフィルタとするとともに、
前記ノッチフィルタの減衰幅を、前記フィルタの通過帯域幅に連動させて自動的に制御する減衰幅制御手段と、
前記ノッチフィルタの中心周波数の変更幅を、前記フィルタの通過帯域幅に連動させて自動的に制御する変更幅制御手段とを備えたことを特徴とする受信装置。
【発明の詳細な説明】
【０００１】
【発明の属する技術分野】
本発明は、ノッチフィルタを用いた受信装置の操作性を向上させる技術に関するものである。
【０００２】
【従来の技術】
従来の受信機におけるノッチフィルタは、帯域幅が固定された特性のノッチフィルタであり、その中心周波数を可変することにより、受信帯域内に存在するビート混信等の不要成分を除去するように構成されている。
図４のブロック図において、１０１は通過帯域幅を広狭制御可能なフィルタであり、１０２はノッチフィルタであり、ノッチ操作つまみ１０３の操作に応じてその中心周波数が制御される。
図５の（ａ）に図示したように、フィルタ１０１の通過帯域（例えば３．６ｋＨｚ）内において、ノッチ操作つまみ１０３を操作してノッチフィルタ１０２のノッチ帯域Ｎ（Ｈｚ）を、ビート混信等の不要成分をカバーする位置へ移動させて前記不要成分を除去するのである。
【０００３】
【発明が解決しようとする課題】
ところが、上述したような従来の帯域幅（例えば６ｄＢ減衰幅Ｎが約２００Ｈｚ）が固定されたノッチフィルタでは以下のような問題がある。
【０００４】
図５の（ａ）に示したように、フィルタの通過帯域が３．６ｋＨｚの場合には、ノッチフィルタの中心周波数の可変ステップを２０Ｈｚとすると、１８０ステップで３．６ｋＨｚとなり、１８０ステップで受信帯域の全ての範囲をカバーすることになる。従って、１８０ステップの範囲の中から混信を除去できるステップを探し出さなければならないので、この場合も大変調整しにくいという問題がある。なお、混信を充分除去できる（４０ｄＢ以上）範囲は、３ステップ程度の範囲であるので、実際には、１８０ステップの中から３ステップを探し出さなければならないが、これでも大変調整しにくいという問題がある。
なお、ノッチフィルタのＱが低いものであれば、ノッチフィルタの減衰幅が広くなって、広い受信帯域の全範囲の中から混信を除去しやすいが、フィルタの帯域を狭くした場合には受信帯域の全での範囲の信号を大きく減衰させてしまうという問題がある。
【０００５】
図５の（ｂ）に示したように、フィルタ１０１の帯域が２００Ｈｚの場合には、帯域内の多くの信号（例えばＳｎ）がいくらかの減衰を受けるという問題がある。
なお、ノッチフィルタ１０２のＱが高いものであれば、ノッチフィルタの中心周波数以外の成分は減衰を受けにくくなるが、フィルタの帯域を広くした場合には受信帯域の全での範囲の中から混信を除去できるポイントを探し出すことが大変になるという問題がある。
また、上記場合においてノッチフィルタの中心周波数の可変ステップを２０Ｈｚとすると、１０ステップで２００Ｈｚとなり、１０ステップで受信帯域の全ての範囲をカバーできることになる。
そこで、ノッチ操作つまみの全操作範囲で２５６ステップの設定操作が可能とすると、前記受信帯域２００Ｈｚはノッチ操作つまみの回転範囲のうちの２０／２５６、即ち約１割だけが有効範囲となり、大変調整しにくいものとなるという問題がある。
【０００６】
上述したように、ノッチフィルタの特性が固定されたものであると、フィルタの受信帯域を狭くした場合にノッチフィルタの減衰幅が相対的に広くなり、フィルタの受信帯域を広くした場合にノッチフィルタの減衰幅が相対的に狭くなるので、どちらの場合でも調整しにくいという問題がある。従って、ノッチフィルタの減衰幅や最大減衰量等の特性を可変制御できるようにした技術が、特開平７−７３８４号公報等において提案されている。
しかし、特性を可変制御できるノッチフィルタを使用した場合でも、フィルタの帯域の切替えに応じてノッチフィルタの特性をその都度調整しなければならないという問題があるので、依然として操作性は改善されない。
【０００７】
そこで、本発明は、フィルタの特性の切替えに連動してノッチフィルタの特性も自動的に可変制御することによって操作性の優れた受信装置の提案を目的としてなされたものである。
【０００８】
【課題を解決するための手段】
本発明にかかる請求項１の受信装置は、
受信帯域幅を設定する帯域幅設定信号を出力する設定手段と、通過帯域幅を前記帯域幅設定信号に基づいて調節可能なフィルタと、該フィルタの通過帯域内において中心周波数を制御可能なノッチフィルタとを備えた受信装置において、
前記ノッチフィルタは、その減衰幅を制御可能なノッチフィルタとするとともに、
前記ノッチフィルタの減衰幅を、前記フィルタの通過帯域幅に連動させて自動的に制御する減衰幅制御手段を備えるという手段を講じた。
【０００９】
請求項２の受信装置は、
受信帯域幅を指定する帯域幅指定信号を出力する設定手段と、通過帯域幅を前記帯域幅指定信号に基づいて調節可能なフィルタと、該フィルタの通過帯域内において中心周波数を制御可能なノッチフィルタとを備えた受信装置において、
前記ノッチフィルタは、その中心周波数の変更幅を制御可能なノッチフィルタとするとともに、
前記ノッチフィルタの中心周波数の変更幅を、前記フィルタの通過帯域幅に連動させて自動的に制御する変更幅制御手段を備えるという手段を講じた。
【００１０】
請求項３の受信装置は、
受信帯域幅を指定する帯域幅指定信号を出力する設定手段と、通過帯域幅を前記帯域幅指定信号に基づいて調節可能なフィルタと、該フィルタの通過帯域内において中心周波数を制御可能なノッチフィルタとを備えた受信装置において、
前記ノッチフィルタは、その減衰幅と、その中心周波数の変更幅とを制御可能なノッチフィルタとするとともに、
前記ノッチフィルタの減衰幅を、前記フィルタの通過帯域幅に連動させて自動的に制御する減衰幅制御手段と、
前記ノッチフィルタの中心周波数の変更幅を、前記フィルタの通過帯域幅に連動させて自動的に制御する変更幅制御手段とを備えるという手段を講じた。
【００１１】
【作用】
本発明の請求項１の発明によれば、ノッチフィルタの減衰幅を、フィルタの通過帯域幅に連動させて自動的に制御する減衰幅制御手段を備えたので、フィルタの通過帯域幅が広く設定されたときには、ノッチフィルタの減衰幅も自動的に広く設定され、フィルタの通過帯域幅が狭く設定されたときには、ノッチフィルタの減衰幅も自動的に狭く設定される。
従って、フィルタの通過帯域幅が広く設定されたときには、広い通過帯域内に存在する混信を広い減衰幅のノッチフィルタで効率よく探して除去することができる。
また、フィルタの通過帯域幅が狭く設定されたときには、狭い通過帯域内に混信成分と隣接して存在する信号成分まで減衰させずに、混信成分のみを除去できる。また、狭い通過帯域内に存在する混信成分を、狭い減衰幅のノッチフィルタで効率よく探して除去することができる。
【００１２】
本発明の請求項２の発明によれば、ノッチフィルタの変更幅を、フィルタの通過帯域幅に連動させて自動的に制御する変更幅制御手段を備えたので、フィルタの通過帯域幅が広く設定されたときには、ノッチフィルタの変更幅も自動的に広く設定され、フィルタの通過帯域幅が狭く設定されたときには、ノッチフィルタの変更幅も自動的に狭く設定される。
従って、フィルタの通過帯域幅が広く設定されたときには、広い通過帯域内に存在する混信成分を、広い変更幅のノッチフィルタで効率よく探して除去することができる。
また、フィルタの通過帯域幅が狭く設定されたときには、狭い通過帯域内に存在する混信成分を、狭い変更幅のノッチフィルタで細かく探して除去することができる。
【００１３】
本発明の請求項３の発明によれば、ノッチフィルタの減衰幅と変更幅を、フィルタの通過帯域幅に連動させて自動的に制御するので、フィルタの通過帯域幅に応じて、ノッチフィルタの減衰幅と変更幅が最適な状態に自動的に設定される。従って、フィルタの通過帯域幅が広く設定されたときには、広い通過帯域内に存在する混信成分を、広い減衰幅と広い変更幅のノッチフィルタで効率よく探して除去することができる。
また、フィルタの通過帯域幅が狭く設定されたときには、狭い通過帯域内に存在する混信成分を、狭い減衰幅と狭い変更幅のノッチフィルタで細かく探して除去することができる。このとき、ノッチフィルタの減衰幅が狭いので、信号成分まで減衰させることは少ない。
【００１４】
【発明の実施の形態】
以下に、本発明にかかる受信装置を、その実施の形態を示した図面に基づいて詳細に説明する。
【００１５】
前記実施形態にかかる受信装置のブロック図を示した図１において、
１は所定の周波数の受信信号を局部発振信号と混合して中間周波信号に周波数変換する周波数変換部である。
２は前記周波数変換部１から出力される信号から所定の周波数帯域の中間周波成分のみを選択的に通過させるべく帯域幅が設定されたフィルタであり、その帯域幅は、帯域幅設定信号▲１▼’に基づいてｗｉｄｅ側の９ｋＨｚからｎａｒｒｏｗ側の２５０Ｈｚまで複数段階に調節可能に構成されている。
【００１６】
３は前記フィルタ２を通過して受信帯域内に存在するビート混信等のノイズ成分を除去するノッチフィルタであり、該ノッチフィルタ３の中心周波数は、ノッチ周波数制御信号▲２▼’によって変更することが可能であり、さらに、該ノッチフィルタ３の中心周波数の変更幅は変更幅制御信号によって制御可能であるとともに、該ノッチフィルタ３の減衰幅は減衰幅制御信号▲３▼’によって制御可能に構成されている。
【００１７】
例えば、ノッチ操作つまみ（図示しない。）を操作することによって生成されるノッチフィルタ周波数制御信号▲２▼’によって、ノッチフィルタ３の中心周波数は、例えば図２の（ａ）に示したように、ｆ１、ｆ２，ｆ３，ｆ４，・・・・と変化させることができるので、特定の周波数、例えば周波数ｆ２にビート混信が存在するときには、ノッチフィルタ３の中心周波数を周波数ｆ２に設定することによって、帯域内の他の信号成分を減衰させることなく、ビート混信のみを選択的に除去することができる。
【００１８】
また、図２の（ｂ）に示したように、ノッチフィルタ３の減衰幅（例えば６ｄＢの減衰幅）は狭いＷ１から広いＷ７まで７段階に設定可能であり、図３の（ａ）に示したように、フィルタ２の通過帯域が広い（Ｆｗ）場合にはノッチフィルタ３の減衰幅も広（Ｎｗ）く設定し、図３の（ｂ）に示したように、フィルタ２の通過帯域が狭い（Ｆｎ）場合にはノッチフィルタ３の減衰幅も狭く（Ｎｎ）設定することができる。
なお、図２の（ａ）においては、最大減衰量は同じに表示したが、実際の最大減衰量は条件に応じて種々設定される。
【００１９】
４は前記ノッチフィルタ３からの出力信号を検波復調して増幅する検波増幅部である。４１は前記検波増幅部４から出力される低周波信号を音響信号に変換して出力するスピーカである。
【００２０】
５は前記フィルタ２とノッチフィルタ３とを制御するマイクロコンピュータからなる制御部であり、受信モード切替え信号▲１▼に応じて前記帯域幅設定信号▲１▼’を前記フィルタ２に出力する。また、ノッチ操作つまみの操作に応じて出力されるノッチ操作信号▲２▼に応じて前記ノッチ周波数制御信号▲２▼’を前記ノッチフィルタ３に出力する。さらにまた、受信モード切替え信号▲１▼に応じて前記変更幅制御信号と前記減衰幅制御信号▲３▼’を出力する。
【００２１】
従って、受信モード切替え信号▲１▼によって、ＡＭ−Ｗモード（信号の形式：ＡＭ、帯域幅：ｗｉｄｅ）が指定されると、前記制御部５からは通過帯域幅として９ｋＨｚを指定する帯域幅設定信号▲１▼’が出力され、ノッチフィルタ３の減衰幅を広い幅Ｗ７に設定する減衰幅制御信号▲３▼’が出力される。そして、前記ノッチフィルタ３の変更幅を３５Ｈｚ（＝９ＫＨｚ／２５６）に設定する変更幅設定信号が生成される。
そして、ノッチ操作つまみが操作されると、前記制御部５においては、ノッチ操作信号▲２▼に応じて、ノッチフィルタ３の中心周波数を３５Ｈｚの変更幅で変更操作するノッチ周波数制御信号▲２▼’が出力される。
【００２２】
また、受信モード切替え信号▲１▼によって、ＡＭ−Ｍ、ＳＳＢ−Ｗモード（信号の形式がＡＭで帯域幅がｍｉｄｄｌｅ、または信号の形式がＳＳＢで帯域幅がｗｉｄｅ）が指定されると、６ｋＨｚを指定する帯域幅設定信号▲１▼’と、ノッチフィルタ３の減衰幅を幅Ｗ６に設定する減衰幅制御信号▲３▼’が出力される。そして、前記ノッチフィルタ３の変更幅を２３Ｈｚ（＝６ＫＨｚ／２５６）に設定する変更幅設定信号が生成され、ノッチ操作信号▲２▼に応じて、ノッチフィルタ３の中心周波数を２３Ｈｚの変更幅で変更操作するノッチ周波数制御信号▲２▼’が出力される。
【００２３】
同様に、受信モードがＡＭ−Ｎ，ＳＳＢ−Ｍ，ＣＷ−Ｗ１のときには、フィルタ２の帯域幅は２．８ｋＨｚ、ノッチフィルタ３の変更幅は１１Ｈｚ（＝２．８ｋＨｚ／２５６）、減衰幅はＷ５に設定され、
受信モードがＳＳＢ−Ｎ，ＣＷ−Ｗ２のときには、フィルタ２の帯域幅は１．８ｋＨｚ、ノッチフィルタ３の変更幅は７．０Ｈｚ（＝１．８ｋＨｚ／２５６）、減衰幅はＷ４に設定され、
受信モードがＣＷ−Ｍのときには、フィルタ２の帯域幅は５００Ｈｚ、ノッチフィルタ３の変更幅は２．０Ｈｚ（＝５００Ｈｚ／２５６）、減衰幅はＷ３に設定され、
受信モードがＣＷ−Ｎのときには、フィルタ２の帯域幅は３５０Ｈｚ、ノッチフィルタ３の変更幅は１．４Ｈｚ（＝３５０Ｈｚ／２５６）、減衰幅はＷ２に設定され、
受信モードがＣＷ−ＮＮのときには、フィルタ２の帯域幅は２５０Ｈｚ、ノッチフィルタ３の変更幅は０．９８Ｈｚ（＝２５０Ｈｚ／２５６）、減衰幅はＷ１に設定される。
【００２４】
なお、前記制御部５は特許請求の範囲に記載された減衰幅制御手段と変更幅制御手段とに対応している。
【００２５】
前記フィルタ２はハイパスフィルタとローパスフィルタとを組み合わせて、これらのフィルタのカットオフ周波数を個別に制御可能な形式のフィルタとしてもよい。
また、前記ノッチフィルタ３は水晶振動子に可変容量素子を付加した構成や、特開平７−７３８４号公報に開示されているプログラム可能な構成や、適応フィルタによる構成を採用することができる。
【００２６】
なお、上述した説明において例示した、各受信モードとフィルタの通過帯域とノッチフィルタの特性との関係は、あくまでも一例であってそれに限定されるものでないことは当然である。
【００２７】
【発明の効果】
本発明の請求項１の発明によれば、ノッチフィルタの減衰幅を、フィルタの通過帯域幅に連動させて自動的に制御することにより、フィルタの通過帯域幅が広く設定された場合でも狭く設定された場合でも、適正な特性のノッチフィルタで混信成分等のノイズ成分を効率よく探して除去することができるので、操作性の優れた受信装置が得られる。
【００２８】
本発明の請求項２の発明によれば、ノッチフィルタの変更幅を、フィルタの通過帯域幅に連動させて自動的に制御することにより、フィルタの通過帯域幅が広く設定された場合でも狭く設定された場合でも、適正な特性のノッチフィルタで混信成分等のノイズ成分を効率よく探して除去することができるので、操作性の優れた受信装置が得られる。
【００２９】
本発明の請求項３の発明によれば、ノッチフィルタの減衰幅と変更幅を、フィルタの通過帯域幅に連動させて自動的に制御することにより、フィルタの通過帯域幅が広く設定された場合でも狭く設定された場合でも、最適な特性のノッチフィルタで混信成分等のノイズ成分を効率よく探して除去することができるので、操作性のさらに優れた受信装置が得られる。
【図面の簡単な説明】
【図１】本発明にかかる受信装置の実施の形態の構成を示したブロック図である。
【図２】前記受信装置のノッチフィルタの特性を説明する説明図であ
【図３】前記受信装置におけるフィルタの通過帯域幅とノッチフィルタの特性との関係を説明する説明図である。
【図４】従来の受信装置の一例のブロック図である。
【図５】従来の受信装置におけるフィルタの通過帯域幅とノッチフィルタの特性との関係を説明する説明図である。
【符号の説明】
１  周波数変換部
２  フィルタ
３  ノッチフィルタ
４  検波増幅部
５  制御部
▲１▼    受信モード切替え信号
▲２▼    ノッチ操作信号
▲１▼’  帯域幅設定信号
▲２▼’  ノッチ周波数制御信号
▲３▼’  減衰幅制御信号
【図１】
0003633563.tif 000002
【図２】
0003633563.tif 000003
【図３】
0003633563.tif 000004
【図４】
0003633563.tif 000005
【図５】
0003633563.tif 000006